(57)【要約】本発明は、容易に、通信デバイス（１０２、３０２、３１２、４０２、４０８）の間で機密保護された関係を提供するための方法、通信制御デバイス（１０２、３０２）、携帯通信デバイス（４０２）および通信システム（３００、４００）に関する。通信制御デバイス（１０２、３０２）は、専用の接触面（１０８、３０８、４０４）、制御ユニット（１０６、３０６）および無線通信ユニット（１０４、３０４）を含む。１つの通信制御デバイス（１０２、３０２）における専用の接触面（１０８、３０８、４０４）と、もう１つの通信制御デバイス（３１２）における専用の接触面（３１０、４０６）との間が接触する時に、２つの制御ユニット（１０６、３０６、３１６）は、セキュア通信セッションの確立を開始する。この開始は、通信制御デバイス（１０２、３０２、３１２）の間で開始部の役割を果たすものと受信部の役割を果たすものとのネゴシエーションと、認証情報の交換とを含み、前記通信制御デバイス（１０２、３０２、３１２）の間でセキュア無線通信セッションを可能とする。
2007513532.tif 000002
【特許請求の範囲】
【請求項１】
第１の通信デバイス（１０２、３０２、４０２）と第２の通信デバイス（３１２、４０８）との間で少なくとも部分的に通信セッションを開始する方法であって、
互いの通信デバイスは、前記通信デバイス（１０２、３０２、３１２、４０２、４０８）との間で通信セッションを開始する開始ステップを有する専用の接触面（１０８、３０８、３１０、４０４、４０６）を含み、
前記開始ステップは、
前記第１の通信デバイス（１０２、３０２、４０２）と前記第２の通信デバイス（３１２、４０８）との間で無線通信を可能にするために、前記第１の通信デバイス（１０２、３０２、４０２）における前記専用の接触面（１０８、３０８、４０４）と前記第２の通信デバイス（３１２、４０８）における接触面（３１０、４０６）とが互いに接することを検知する検知ステップを含むことを特徴とする方法。
【請求項２】
前記開始ステップは、
前記第１の通信デバイス（１０２、３０２、４０２）における前記専用の接触面（１０８、３０８、４０４）と前記第２の通信デバイス（３１２、４０８）における接触面（３１０、４０６）とが互いに物理的または光学的に接触していることを検知することを含む
ことを特徴とする請求項１に記載の方法。
【請求項３】
前記開始ステップは、
前記第１の通信デバイス（１０２、３０２、４０２）における前記専用の接触面（１０８、３０８、４０４）と前記第２の通信デバイス（３１２、４０８）における接触面（３１０、４０６）との間で接触インタフェースを介して実行される
ことを特徴とする請求項１または２に記載の方法。
【請求項４】
前記第１の通信デバイス（１０２、３０２、４０２）における前記専用の接触面（１０８、３０８、４０４）と前記第２の通信デバイス（３１２、４０８）における接触面（３１０、４０６）との間で接触インタフェースを介して実行される前記開始ステップは、
前記２つの通信デバイス（１０２、３０２、３１２、４０２、４０８）の間で、前記通信デバイスのいずれが開始部の役割（ステップ２０４）を担うかを決定するためにネゴシエーションを行なうステップを含む
ことを特徴とする請求項１乃至３の何れかに記載の方法。
【請求項５】
前記ネゴシエーションを行なうステップ（ステップ２０４）は、前記通信デバイス（１０２、３０２、３１２、４０２、４０８）のいずれが受信部の役割を担うことを決定するステップを含む
ことを特徴とする請求項４に記載の方法。
【請求項６】
前記第１の通信デバイス（１０２、３０２、４０２）における前記専用の接触面（１０８、３０８、４０４）と前記第２の通信デバイス（３１２、４０８）における接触面（３１０、４０６）との間で接触インタフェースを介して実行される前記開始ステップは、
一方が開始部であり、他方が受信部である前記２つの通信デバイス（１０２、３０２、３１２、４０２、４０８）の間で認証情報を交換する（ステップ２０６）ステップを含む
ことを特徴とする請求項５に記載の方法。
【請求項７】
前記２つの通信デバイス（１０２、３０２、３１２、４０２、４０８）の間で無線インタフェースを介して前記通信セッションを継続するステップを含む
ことを特徴とする請求項１乃至６の何れかに記載の方法。
【請求項８】
他の通信制御デバイス（３１２）との間でセキュア通信セッションを開始する通信制御デバイス（１０２、３０２）であって、
前記通信制御デバイスは、
前記他の通信制御デバイス（３１２）における専用の接触面（３１０）との接触のために備えられた専用の接触面（１０８、３０８）と、
前記通信制御デバイス（１０２、３０２）における前記専用の接触面（１０８、３０２）と前記他の通信制御デバイス（３１２）における専用の接触面（３１０）との間での接触を検知することによって通信を開始する、前記専用の接触面（１０８、３０８）に接続された制御ユニット（１０６、３０６）とを含み、
前記通信制御デバイス（１０２、３０２）に関係した無線通信ユニット（１０４，３０４）と前記他の通信制御デバイス（３１２）に関係した無線通信ユニット（３１４）との間で無線インタフェースを介して無線通信を可能とするよう前記無線通信ユニットに接続されることを特徴とする通信制御デバイス。
【請求項９】
前記通信制御デバイス（１０２、３０２）の無線通信ユニット（１０４、３０４）と前記他の通信制御デバイス（３１２）に関係する無線通信ユニット（３１４）との間で前記無線インタフェースを介して無線通信を可能とする前記無線通信ユニット（１０４、３０４）を含み、
前記専用の接触面（１０８、３０８）と前記無線通信ユニット（１０４、３０４）が前記制御ユニット（１０６、３０６）に接続されていることを特徴とする請求項８に記載の通信制御デバイス。
【請求項１０】
前記制御ユニット（１０６、３０６）は、
前記通信制御デバイス（１０２、３０２）における前記専用の接触面（１０８、３０８）と前記他の通信制御デバイス（３１２）における前記専用の接触面（３１０）との間で前記接触インタフェースを介して通信を開始する
ことを特徴とする請求項８または９に記載の通信制御デバイス。
【請求項１１】
前記通信制御デバイス（１０２、３０２）における前記専用の接触面（１０８、３０８）の少なくとも一部は、電流を導通できることを特徴とする請求項８乃至１０の何れかに記載の通信制御デバイス。
【請求項１２】
少なくとも１つの他の携帯通信デバイス（４０８）と通信をおこなう携帯通信デバイス（４０２）であって、
前記携帯通信デバイス（４０２）は、
通信制御デバイス（１０２、３０２）と前記他の携帯通信デバイス（４０８）における通信制御デバイス（３１２）との間でセキュア通信セッションを開始する通信制御ユニット（１０６、３０６）を含み、
前記携帯通信デバイス（４０２）における前記通信制御デバイス（１０２、３０２）は、
前記他の通信制御デバイス（３１２）における専用の接触面（３１０、４０６）と接するために備えられた専用の接触面（１０８、３０８、４０４）と、
前記通信制御デバイス（１０２、３０２）における前記専用の接触面（１０８、３０８）と前記他の通信制御デバイス（３１２）における前記専用の接触面（３１０）との間で接触インタフェースを介して接触を検知するために備えられた、前記専用の接触面（１０８、３０８）に接続された制御ユニット（１０６、３０６）とを含み、
前記通信制御デバイス（１０２、３０２）の無線通信ユニット（１０４，３０４）と前記他の通信制御デバイス（３１２）に関係した無線通信ユニット（３１４）との間で無線インタフェースを介して無線通信を可能とするため無線通信ユニット（１０４、３０４）に結合されることを特徴とする携帯通信デバイス。
【請求項１３】
前記専用の接触面（１０８、３０８、４０４）は、前記他の通信制御デバイス（３１２）における専用の接触面（３１０、４０６）に物理的または光学的に接続するために備えられ、
前記専用の接触面（１０８、３０８）に接続される前記制御ユニット（１０６、３０６）は、前記通信制御デバイス（１０２、３０２）における前記専用の接触面（１０８、３０８）と前記他の通信制御デバイス（３１２）における前記専用の接触面（３１０）との間で前記接触インタフェースを介して物理的または光学的な接触を検知するために備えられる
ことを特徴とする請求項１２に記載の携帯通信デバイス。
【請求項１４】
前記携帯通信デバイス（４０２）における前記無線通信ユニット（１０４、３０４）と前記他の携帯通信デバイス（４０８）に関係する無線通信ユニット（３１４）との間で前記無線インタフェースを介して無線通信を可能にするための前記無線通信ユニット（１０４、３０４）を含み、
前記携帯通信デバイス（４０２）における前記専用の接触面（１０８、３０８、４０４）と前記無線通信ユニット（１０４、３０４）が前記制御ユニット（１０６、３０６）に接続されていることを特徴とする請求項１２または１３に記載の携帯通信デバイス。
【請求項１５】
前記無線通信ユニット（１０４、３０４）は、Ｂｌｕｅｔｏｏｔｈ（登録商標）ユニットであることを特徴とする請求項１２乃至１４の何れかに記載の携帯通信デバイス。
【請求項１６】
前記携帯通信デバイス（４０２）は、携帯電話であることを特徴とする請求項１２乃至１５の何れかに記載の携帯通信デバイス。
【請求項１７】
携帯通信デバイス（４０２）における前記専用の接触面（１０８、３０８、４０４）の少なくとも一部は、前記携帯通信デバイス（４０２）の外面から突き出しており、前記携帯通信デバイス（４０２）の前記専用の接触面（１０８、３０８、４０４）と前記他の通信デバイス（４０８）における専用の接面（３１０、４０６）との間で物理的な接続を可能にしていることを特徴とする請求項１２乃至１６の何れかに記載の携帯通信デバイス。
【請求項１８】
携帯通信デバイス（４０２）における前記専用の接面（１０８、３０８、４０４）の少なくとも一部は、前記携帯通信デバイス（４０２）の外面から突き出し可能であり、前記携帯通信デバイス（４０２）の前記専用の接触面（１０８、３０８、４０４）と前記他の通信デバイス（４０８）における専用の接触面（３１０、４０６）との間で前記接触インタフェースを介して物理的な接続を可能にしていることを特徴とする請求項１２乃至１６の何れかに記載の携帯通信デバイス。
【請求項１９】
携帯通信デバイス（４０２）における前記専用の接触面（１０８、３０８、４０４）の少なくとも一部は、凸状の外面をもち、前記携帯通信デバイス（４０２）における前記専用の接触面（１０８、３０８、４０４）と前記他の通信デバイス（４０８）における専用の接触面（３１０、４０６）との間で前記接触インタフェースを介して物理的な接続を可能にしていることを特徴とする請求項１２乃至１６の何れかに記載の携帯通信デバイス。
【請求項２０】
少なくとも第１の携帯通信デバイス（４０２）および第２の携帯通信デバイス（４０８）を有する通信システムであって、
前記第１および第２の携帯通信デバイス（４０２、４０８）の両方は請求項１２乃至１９のいずれかに記載のデバイスであり、前記携帯通信デバイス（４０２、４０８）の間でセキュア通信セッションを開始することを特徴とする通信システム。
【発明の詳細な説明】
【技術分野】
【０００１】
本発明は、通信情報の交換における通信セッションの開始に関する。特に、本発明は、例えば、Ｂｌｕｅｔｏｏｔｈ（登録商標）通信セッションのような、そのような通信に適した２つの通信デバイス間でおこなわれる、ショートレンジでの高周波数通信セッションを開始するためのデバイスおよび方法に関する。
【背景技術】
【０００２】
様々な通信デバイス間での情報の機密保護された交換は、現在では、高度なセキュリティが必要とされている。例えば、２つのＢｌｕｅｔｏｏｔｈ（登録商標）通信デバイス間で安全な関係を確立するためには、上記通信デバイスのペアリングがなされなければならない。これは、上記通信デバイスが、後でこれらのデバイスを認証し、それに続く通信を暗号化するために用いられる共通の鍵を交換することを意味する。
【発明の開示】
【発明が解決しようとする課題】
【０００３】
安全な関係を確立することは、一般に、ユーザがメニューのブラウジングや組み合わせ可能または検索可能なモードにデバイスを設定をしたり、最終的には、共通のパスワードを入力するような数多くのステップをおこなうことが必要とされる。通常、組み合わせる処理は、開始から終了まで数分を要する。必要な入力データの誤入力や誤った解釈は、組み合わせの失敗を引き起こす。これらの混乱は、（複数の）０を（複数の）ｏに、（複数の）１を（複数の）ｌなどに取り違えたり、大文字を小文字として取り違えたりする結果となり、安全な関係を確立することにおいてエラーを引き起こす。なお、ヘッドセットのようないくつかの通信デバイスは、予めパスワードがインストールされている。このパスワードは、他のメディアによりそのパスワードにアクセスするために必要とされる。さらに、パスワードの機密保護性は、ユーザが思い出しやすい或は限定的なマンマシンインタフェース（ＭＭＩ）しかもたない通信デバイスを用いて入力しやすい短いパスワードを使用する傾向があるために、損なわれるかもしれない。
【０００４】
従って、通信デバイス間での安全な関係を容易に提供することが必要とされている。
【０００５】
本発明は、上述した問題に鑑みてなされたものであり、通信デバイス間での安全な関係を容易に提供することを目的とする。
【０００６】
このことは、２つの通信デバイス間でセキュア通信セッションの開始を提供することによって達成される。
【０００７】
本発明の一つの目的は、２つの通信デバイス間で安全な関係を容易に得るための方法を提供することである。
【課題を解決するための手段】
【０００８】
本発明の第１の側面からすれば、この目的は、第１の通信デバイスと、第２の通信デバイスとの間で少なくとも部分的に通信セッションを開始するための方法によって達成される。なお、各通信デバイスは、専用の接触面を含む。さらに、各通信デバイスは、各通信デバイスの間で通信セッションを開始するステップを含む。また、開始ステップは、上記第１および第２の通信デバイスの間で無線通信を可能にするために、第１の通信デバイスにおける専用の接触面と第２の通信デバイスにおける専用の接触面とが互いに接触したことを検知するステップを含む。
【０００９】
本発明の第２の側面は、第１の側面の特徴を含む方法に関するものであり、その開始ステップは、第１の通信デバイスにおける専用の接触面と第２の通信デバイスにおける専用の接触面とが互いに物理的または光学的に接触していることを検知することを含む。
【００１０】
本発明の第３の側面は、第１の側面の特徴を含む方法に関するものであり、その開始ステップは、第１の通信デバイスにおける専用の接触面と第２の通信デバイスにおける専用の接触面との間で接触インタフェースを介して実行される。
【００１１】
本発明の第４の側面は、第１の側面の特徴を含む方法に関するものであり、その開始ステップは、第１の通信デバイスにおける専用の接触面と第２の通信デバイスにおける専用の接触面との間で接触インタフェースを介して実行される。さらに、開始ステップは、２つの通信デバイスの間で上記２つのデバイスの何れかが開始部の役割を担うことを決定するためにネゴシエーションをおこなうステップを含む。
【００１２】
本発明の第５の側面は、第４の側面の特徴を含む方法に関するものであり、そのネゴシエーションステップは、上記デバイスの何れかが受信部の役割を担うことを決定するステップを含む。
【００１３】
本発明の第６の側面は、第５の側面の特徴を含む方法に関するものであり、その開始ステップは、（以下、請求項６を参照）第１の通信デバイスにおける専用の接触面と第２の通信デバイスにおける専用の接触面の間で接触インタフェースを介して実行される。さらに、第６の実施形態における開始ステップは、一方が開始部の役割を担い、他方が受信部の役割を担う２つの上記通信デバイスの間で認証情報の交換をおこなうステップを含む。
【００１４】
本発明の第７の側面は、第１の側面の特徴を含む方法に関するものであり、上記２つの通信デバイスの間で無線通信インタフェースを介して通信セッションを継続するステップをさらに含む。
【００１５】
本発明における他の目的は、容易に、２つの通信デバイスとの間で機密保護された関係を可能にする通信制御デバイスを提供することにある。
【００１６】
本発明の第８の側面からすれば、この目的は、他の通信制御デバイスとの間でセキュア通信セッションを開始する通信制御デバイスによって達せされる。また、その通信制御デバイスは、他の通信制御デバイスにおける専用の接触面との接触のために備えられた専用の接触面を含む。また、通信制御デバイスは、上記通信デバイスにおける専用の接触面と上記他の通信デバイスにおける専用の接触面との間での接触を検知することによって通信を開始する専用の接触面に接続された制御ユニットを含む。さらに、通信制御デバイスは、上記通信制御デバイスに関係した無線通信ユニットと上記他の通信デバイスに関係した無線通信ユニットとの間で無線インタフェースを介して無線通信を可能とするよう無線通信ユニットに接続される。
【００１７】
本発明の第９の側面は、第８の側面の特徴を含む通信制御デバイスに関するものであり、その通信制御デバイスは、上記通信制御デバイスに含まれる無線通信ユニットと上記他の通信デバイスに関係する無線通信ユニットとの間で無線インタフェースを介して無線通信を可能とするための無線通信ユニットを含む。さらに専用の接触面および無線通信ユニットは、制御ユニットに接続される。
【００１８】
本発明の第１０の側面は、第８の側面の特徴を含む通信制御デバイスに関するものであり、その制御ユニットは、上記通信制御デバイスにおける接触面と他の通信制御デバイスにおける接触面との間で接触インタフェースを介して通信が開始する。
【００１９】
本発明の第１１の側面は、第８の側面の特徴を含む通信制御デバイスに関するものであり、少なくとも通信制御デバイスにおける専用の接触面の一部は、電流が導通できる。
【００２０】
また、本発明における他の目的は、容易に２つの通信デバイスの間で安全な関係を可能にする携帯通信デバイスを提供することにある。
【００２１】
本発明の第１２の側面からすれば、この目的は、少なくとも１つの他の携帯通信デバイスと通信をおこなうために準備される携帯通信デバイスによって達成される。携帯通信デバイスは、上記通信制御デバイスと他の携帯通信デバイスにおける上記通信制御デバイスとの間でセキュア通信セッションを開始する通信制御ユニットを含む。なお、携帯通信デバイスの通信制御デバイスは、他の通信制御デバイスにおける専用の接触面と接触するために備えられた専用の接触面を含む。また、携帯通信デバイスの通信制御デバイスは、上記通信制御デバイスにおける専用の接触面と上記他の通信制御デバイスにおける専用の接触面との間で接触インタフェースを介して接触を検知するために備えられた専用の接触面に接続された制御ユニットを含む。さらに、制御ユニットは、上記通信制御デバイスにおける無線通信ユニットと他の通信制御デバイスに関係した無線通信ユニットとの間で無線インタフェースを介して無線通信を可能とするため無線通信ユニットを結合する。
【００２２】
本発明の第１３の側面は、第１２の側面の特徴を含む携帯通信デバイスに関するものであり、専用の接触面は、他の通信制御デバイスにおける専用の接触面に物理的または光学的に接続するために備えられる。また、専用の接触面に接続された制御ユニットは、物理的または光学的に上記通信制御デバイスにおける専用の接触面と上記他の通信制御デバイスにおける専用の接触面との間で接触インタフェースを介しての接触を検知するために備えられる。
【００２３】
本発明の第１４の側面は、第１２の側面の特徴を含む携帯通信デバイスに関するものであり、携帯通信デバイスは、携帯通信デバイスにおける無線通信ユニットと他の携帯通信デバイスにおける無線通信ユニットとの間で無線通信インタフェースを介して無線通信を可能にするための無線通信ユニットを含む。また、携帯通信デバイスにおける専用の接触面および無線通信ユニットは、制御ユニットへ接続されている。
【００２４】
本発明に第１５の側面は、第１２の側面の特徴を含む携帯通信デバイスに関するものであり、その無線通信ユニットは、Ｂｌｕｅｔｏｏｔｈ（登録商標）ユニットである。
【００２５】
本発明の第１６の側面は、第１２の側面の特徴を含む携帯通信デバイスに関するものであり、その携帯通信デバイスは、携帯電話である。
【００２６】
本発明の第１７の側面は、第１２の側面の特徴を含む携帯通信デバイスに関するものであり、携帯通信デバイスにおける専用の接触面の少なくとも一部は、携帯通信デバイスの外面から突き出している。これにより、携帯通信デバイスにおける専用の接触面と他の携帯通信デバイスにおける専用の接触面との間で接触インタフェースを介して物理的な接続を可能としている。
【００２７】
本発明の第１８の側面は、第１２の側面の特徴を含む携帯通信デバイスに関するものであり、携帯通信デバイスにおける専用の接触面の少なくとも一部は、携帯通信デバイスの外面から突き出し可能である。これにより、携帯通信デバイスにおける専用の接触面と他の携帯通信デバイスにおける専用の接触面との間で接触インタフェースを介して物理的な接続を可能としている。
【００２８】
本発明の第１９の側面は、第１２の側面の特徴を含む携帯通信デバイスに関するものであり、携帯通信デバイスにおける専用の接触面の少なくとも一部は、凸状の外面を持つ。これにより、携帯通信デバイスにおける専用の接触面と他の携帯通信デバイスにおける専用の接触面との間で接触インタフェースを介して物理的な接続を可能としている。
【００２９】
本発明における他の目的は、容易に、２つの通信デバイスとの間で安全な関係を可能にする通信システムの提供することである。
【００３０】
本発明の第２０の側面のからすれば、その目的は、少なくとも第１の携帯通信デバイスと第２の通信デバイスとを含む通信システムによって達成される。それら両方の携帯通信デバイスは、上記２つの通信デバイスとの間でセキュア通信セッションを開始するために第１２の側面の特徴を含む。
【００３１】
本発明は、従来技術に対してから以下に記載する利点がある。
【００３２】
第１に、通信セッションのセキュリティが互いに接続される通信デバイスの認証に関して改善されるであろう。なぜなら、いつ、どの他の通信デバイスと物理的に接触したかが目に見えるためである。
【００３３】
第２に、より一般的に、長い無作為のパスワードがユーザによる手動の入力を必要とせず、例えば認証情報として使用される。
【００３４】
第３に、通信デバイスは、電流を消費する問い合わせ走査モードにある必要はない。なぜなら、セキュア通信セッションにおける開始は、通信デバイスにおける物理的な接触によって引き起こされるためである。
【００３５】
本明細書中で使用される用語「含む／含んでいる」は、この明細書で述べられた機能、数値、ステップまたは構成要素の存在を特定するために取られるが、他の１以上の機能、数値、ステップ、構成要素またはそれらのグループの存在や追加を排除するわけではない。
【００３６】
以下本発明をより詳細に添付図面と関連して説明する。
【発明を実施するための最良の形態】
【００３７】
本発明は、２つの通信デバイスの間でのセキュア通信セッションを開始する備えに関する。
【００３８】
図１は、本発明の好適な実施形態に係る通信制御デバイスを表す図である。この図において、通信制御デバイス１０２は、通信制御デバイス１０２内に含まれる制御ユニット１０６によって制御される。また、通信制御デバイス１０２は、制御ユニット１０６に接続された無線通信ユニット１０４を含む。また、通信制御デバイス１０２は、制御ユニット１０６に接続された接触面１０８を含む。
【００３９】
本発明の好適な実施形態によれば、無線通信ユニット１０４は、通信制御デバイス１０２に含まれる。なお、本発明の好適な実施形態によれば、無線通信ユニット１０４は、Ｂｌｕｅｔｏｏｔｈ（登録商標）ユニットである。さらに、本発明の好適な実施形態によれば、通信制御デバイス１０２は、専用の接触面１０８を含む。
【００４０】
図２は、２つの通信デバイスの間でセキュア通信セッションを開始するための方法を表すフローチャートである。また、図３ａおよび図３ｂは、通信システムの概要を示す図である。通信システム３００は、２つの通信制御デバイス３０２および３１２を含む。それらの通信制御デバイスは、両方とも図１に示す通信制御デバイスと同じタイプである。図３ａは物理的な接触を示す。すなわち、１つの通信制御デバイス３０２における専用の接触面３０８と、他の通信制御デバイス３１２における専用の接触面３１０との間での接触インタフェースである。図３ｂは、無線通信インタフェースを介して通信中の２つの通信制御デバイス３０２、３１２を示す。好適な実施形態によれば、通信システム３００は、２つの通信制御デバイス３０２および３１２を含む。
【００４１】
まず、図２および図３ａを参照して、少なくとも部分的にセキュア通信セッションを開始する方法について説明をおこなう。この方法は、ステップ２０２において、図３ａに示すように、第１および第２の通信制御デバイス３０２、３１２における専用の接触面３０８および３１０が互いに接触することによって開始される。この接触インタフェースを介しての接触は、第１および第２の通信制御デバイス３０２、３１２の制御ユニット３０６および３１６によって夫々、検知される。また、ステップ２０４において、この接触が、上記制御ユニット３０６および３１６がさらに、２つの通信制御デバイス３０２および３１２の間で接触インタフェースを介して通信を開始し、ネゴシエーションを開始する契機となる。このネゴシエーションの間に、ステップ２０４では、２つの通信デバイス３０２および３１２のいずれが開始部の役割を担い、２つの通信デバイス３０２および３１２のいずれが受信部の役割を担うのかを決定する。制御ユニット３０６および３１６によって開始部および受信部の役割を決定する際、ステップ２０６において、２つの通信制御デバイス３０２および３１２の間でパスワードが交換される。これら交換されたパスワードは、２つの通信制御デバイス３０２および３１２における相互の認証に使用される。パスワードを交換したので、ステップ２０８において、２つの通信デバイス３０２および３１２の間でセキュア通信セッションの確立がなされる。
【００４２】
本発明の好適な実施形態によれば、通信デバイス３０２の専用の接触面３０８の少なくとも一部は、２つの専用の接触面３０８および３１０の間で接触インタフェースを介して通信を可能にするために電流を流すことができる。
【００４３】
また、本発明の好適な実施形態によれば、２つの接触面３０８および３１０の間での接触は、ステップ２０６の処理が完了するまで維持される。すなわち、２つの通信デバイス３０２および３１０の間でパスワードの交換がなされるまで接触が維持される。次に、ステップ２０８におけるセキュア通信セッションの確立は、２つの通信制御デバイス３０２および３１２のユーザに無線通信インタフェースによるセキュア通信セションを用いて、通信を継続することを意図するか否かを質問することを含む。
【００４４】
本実施形態において、上記質問は、本来、上記無線通信インタフェースを介して通信される。
【００４５】
両方のユーザからの返答が肯定的なものである場合、図３ｂに示すように、無線通信インタフェースを介して確立された通信セッションは、無線通信インタフェースを介して継続される。一方、ユーザからの返答が肯定的なものではない場合、前記すでに確立された無線通信セッションは、終了される。
【００４６】
通信制御デバイス３０２と他の通信制御デバイス３１２との間で無線通信インタフェースを介しての通信セッション中の無線通信は、アンテナを介しておこなわれる。なお、通信制御デバイス３０２および３１２にはそれぞれ、そのようなアンテナが装備されている。
【００４７】
図４は、もう１つの別の携帯通信デバイス４０８とセキュア通信セッションを確立することができる、専用の接触面４０４を含む第１の携帯通信デバイス４０２を示している。この確立は、最初に携帯通信デバイス４０２における専用の接触面４０４と、他の携帯通信デバイス４０８における専用の接触面４０６との間で物理的な接触を必要とする。
【００４８】
さらに、本実施形態によれば、携帯通信デバイス４０２の専用の接触面４０４は、携帯通信デバイス４０２の外面から外側へ向かう凸状の形状を有し、携帯通信デバイス４０２の専用の接触面４０４と、携帯通信デバイス４０８の専用の接触面４０６との間での接触インタフェースを介して物理的接触を可能にしている。
【００４９】
本発明の好適な実施形態によれば、２つの携帯通信デバイス４０２および４０８はそれぞれ、通信制御デバイスをさらに含み、２つの通信制御デバイスはそれぞれ、制御ユニットおよび無線通信ユニットを含む（図４には不図示）。
【００５０】
したがって、本発明の好適な実施形態によれば、専用の接触面４０４は、この点からすれば、携帯通信デバイス４０２に含まれると考えられるようにしてもよい。
【００５１】
なお、本発明の好適な実施形態によれば、携帯通信デバイス４０２は、携帯電話である。
【００５２】
本発明は、多くの方法で、変形されることを強調しておきたい。その内の以下に示す代替実施形態は、その２〜３の例に過ぎない。したがって、それらの他の実施形態は、本発明を限定する例ではない。しかしながら、本発明の範囲は、添付の特許請求の範囲によってのみ限定される。
【００５３】
携帯通信デバイスとは、ラップトップコンピュータ、携帯情報端末（ＰＤＡ）、プリンタ、または類似のデバイスもしくはユーザがセキュア通信接続の開始を望むかもしれない他のタイプの携帯デバイスのような多様なデバイスの何れかで良い。
【００５４】
他の実施形態において、セキュア通信セッションの確立は、前記専用の接触面間の前記接触が、パスワードの交換をおこなうステップが実行された後に中断されないなら、接触面インタフェースを介しての通信を継続することを含む。
【００５５】
また、本発明の別の実施形態によれば、通信セッションの開始時におけるセキュア通信の確立は、接触する携帯通信デバイスのユーザに対して、無線通信インタフェースを介したセキュア通信セッションを使用して通信を継続することを意図しているかどうかだけを問い合わせることを含む。
【００５６】
さらに、本発明のさらに別の実施形態によれば、通信セッションの開始時におけるセキュア通信の確立は、どのようなユーザ入力も必要とせず、無線通信を介したセキュア通信セッションを使用して通信を継続することを含む。
【００５７】
本発明のさらに別の実施形態によれば、携帯通信デバイスにおける専用の接触面は、携帯通信デバイスにおける外面から外側へ突き出している。これにより、前記携帯通信デバイスにおける専用の接触面と、他の携帯通信デバイスにおける専用の接触面との間で接触インタフェースを介して物理的に接触することを可能とする。各専用の接触面が関連した携帯通信デバイスにおける外面から外側へ突き出している場合、各通信デバイスは、他の通信デバイスと対となり、これにより、対応する専用の接触面との間で接触を確立できる。
【００５８】
本発明のさらに別の実施形態によれば、通信デバイスにおける専用の接触面は、その通信デバイスにおける外面から外側へ突き出し可能なものであり、これにより、その通信デバイスにおける専用の接触面と他の通信デバイスにおける専用の接触面との間での接触インタフェースを介して物理的接触が可能となる。
【００５９】
本発明の異なる実施形態によれば、専用の接触面は、例えば、赤外光を使用することにより接触インタフェースを介して互いに光学的に接触するために備えられる。
【００６０】
さらに、本発明の異なる実施形態によれば、専用の接触面は、無線通信ユニットに含まれる。
【００６１】
なお、本発明の他の実施形態によれば、無線通信ユニットは、どのような無線ユニット、例えば、ＷＬＡＮユニットでもよい。
【００６２】
本発明の異なる実施形態によれば、無線通信ユニットは、通信制御ユニットへ接続可能である。
【００６３】
さらに異なる実施形態によれば、無線通信ユニットは、携帯通信デバイスへ接続可能である。
【００６４】
さらに、本発明のさらに別の実施形態によれば、通信制御デバイスは、無線通信ユニットに含まれる。
【００６５】
本発明の別の実施形態によれば、通信制御デバイスは、携帯通信デバイスへ接続可能である。
【００６６】
以上セキュア通信セッションを開始するための方法およびデバイスを説明した本発明を用いると、その方法およびデバイスは、以下の効果がある。
【００６７】
通信セッションのセキュリティは、互いに接続されている通信デバイスの認証によって改善される。なぜなら、通信デバイスが物理的に互いに接触するので、いつ、どの他のデバイスと組み合わせられたかが目に見えるためである。
【００６８】
また、ユーザが何らかのパスワードを手動で入力する必要がないため、長い無作為のパスワードは、容易により一般的に、例えば、認証情報として使用される。
【００６９】
さらに、専用の接触面における物理的な接触が制御デバイスが上記通信デバイス間でのネゴシエーションを開始する契機となるため、上記通信デバイスは、問い合わせの走査ステータスをもつ必要がない。これは、問い合わせの走査ステータスが電流を消費するため、非常に有益である。この事実による直接な結果は、本発明による通信デバイスが、 より少ない消費電流でよいということである。
【図面の簡単な説明】
【００７０】
【図１】通信制御デバイスを示す図である。
【図２】少なくとも部分的に通信セッションを開始する方法を示すフローチャートである。
【図３ａ】、
【図３ｂ】通信システムに含まれる２つの通信制御デバイスの間でのセキュア通信セッションの開始を模式的に示す図である。
【図４】２つの携帯通信デバイスとの間でセキュア通信セッションの開始の開始処理中である２つの携帯通信デバイスを含むシステムを示す図である。
【図１】
2007513532.tif 000003
【図２】
2007513532.tif 000004
【図３ａ】
2007513532.tif 000005
【図３ｂ】
2007513532.tif 000006
【図４】
2007513532.tif 000007
【手続補正書】
【提出日】平成17年2月16日(2005.2.16)
【手続補正１】
【補正対象書類名】特許請求の範囲
【補正対象項目名】全文
【補正方法】変更
【補正の内容】
【特許請求の範囲】
【請求項１】
第１の通信デバイス（１０２、３０２、４０２）と第２の通信デバイス（３１２、４０８）との間で少なくとも部分的に通信セッションを開始する方法であって、
互いの通信デバイスは、前記通信デバイス（１０２、３０２、３１２、４０２、４０８）との間で通信セッションを開始する開始ステップを有する専用の接触面（１０８、３０８、３１０、４０４、４０６）を含み、
前記開始ステップは、
前記第１の通信デバイス（１０２、３０２、４０２）と前記第２の通信デバイス（３１２、４０８）との間で無線通信を可能にするために、前記第１の通信デバイス（１０２、３０２、４０２）における前記専用の接触面（１０８、３０８、４０４）と前記第２の通信デバイス（３１２、４０８）における接触面（３１０、４０６）とが互いに物理的に接することを検知する検知ステップを含むことを特徴とする方法。
【請求項２】
前記開始ステップは、
前記第１の通信デバイス（１０２、３０２、４０２）における前記専用の接触面（１０８、３０８、４０４）と前記第２の通信デバイス（３１２、４０８）における接触面（３１０、４０６）との間で接触インタフェースを介して実行される
ことを特徴とする請求項１に記載の方法。
【請求項３】
前記第１の通信デバイス（１０２、３０２、４０２）における前記専用の接触面（１０８、３０８、４０４）と前記第２の通信デバイス（３１２、４０８）における接触面（３１０、４０６）との間で接触インタフェースを介して実行される前記開始ステップは、
前記２つの通信デバイス（１０２、３０２、３１２、４０２、４０８）の間で、前記通信デバイスのいずれが開始部の役割（ステップ２０４）を担うかを決定するためにネゴシエーションを行うステップを含む
ことを特徴とする請求項１または２に記載の方法。
【請求項４】
前記ネゴシエーションを行うステップ（ステップ２０４）は、前記通信デバイス（１０２、３０２、３１２、４０２、４０８）のいずれが受信部の役割を担うことを決定するステップを含む
ことを特徴とする請求項３に記載の方法。
【請求項５】
前記第１の通信デバイス（１０２、３０２、４０２）における前記専用の接触面（１０８、３０８、４０４）と前記第２の通信デバイス（３１２、４０８）における接触面（３１０、４０６）との間で接触インタフェースを介して実行される前記開始ステップは、
一方が開始部であり、他方が受信部である前記２つの通信デバイス（１０２、３０２、３１２、４０２、４０８）の間で認証情報を交換する（ステップ２０６）ステップを含む
ことを特徴とする請求項４に記載の方法。
【請求項６】
前記２つの通信デバイス（１０２、３０２、３１２、４０２、４０８）の間で無線インタフェースを介して通信セッションを継続するステップを含む
ことを特徴とする請求項１乃至５の何れかに記載の方法。
【請求項７】
他の通信制御デバイス（３１２）との間でセキュア通信セッションを開始する通信制御デバイス（１０２、３０２）であって、
前記通信制御デバイスは、
前記他の通信制御デバイス（３１２）における専用の接触面（３１０）との物理的な接触のために備えられた専用の接触面（１０８、３０８）と、
前記通信制御デバイス（１０２、３０２）における前記専用の接触面（１０８、３０２）と前記他の通信制御デバイス（３１２）における専用の接触面（３１０）との間での物理的な接触を検知することによって通信を開始する、前記専用の接触面（１０８、３０８）に接続された制御ユニット（１０６、３０６）とを含み、
前記通信制御デバイス（１０２、３０２）に関係した無線通信ユニット（１０４、３０４）と前記他の通信制御デバイス（３１２）に関係した無線通信ユニット（３１４）との間で無線インタフェースを介して無線通信を可能とするよう無線通信ユニットに接続されることを特徴とする通信制御デバイス。
【請求項８】
前記通信制御デバイス（１０２、３０２）の無線通信ユニット（１０４、３０４）と前記他の通信制御デバイス（３１２）に関係する無線通信ユニット（３１４）との間で前記無線インタフェースを介して無線通信を可能とする前記無線通信ユニット（１０４、３０４）を含み、
前記専用の接触面（１０８、３０８）と前記無線通信ユニット（１０４、３０４）が前記制御ユニット（１０６、３０６）に接続されていることを特徴とする請求項７に記載の通信制御デバイス。
【請求項９】
前記制御ユニット（１０６、３０６）は、
前記通信制御デバイス（１０２、３０２）における前記専用の接触面（１０８、３０８、）と前記他の通信制御デバイス（３１２）における前記専用の接触面（３１０）との間で前記接触インタフェースを介して通信を開始する
ことを特徴とする請求項７または８に記載の通信制御デバイス。
【請求項１０】
前記通信制御デバイス（１０２、３０２）における前記専用の接触面（１０８、３０８）の少なくとも一部は、電流を導通できることを特徴とする請求項７乃至９の何れかに記載の通信制御デバイス。
【請求項１１】
少なくとも１つの携帯通信デバイス（４０８）と通信をおこなう携帯通信デバイス（４０２）であって、
前記携帯通信デバイス（４０２）は、
前記通信制御デバイス（１０２、３０２）と前記他の携帯通信デバイス（４０８）における通信制御デバイス（３１２）との間でセキュア通信セッションを開始する通信制御ユニット（１０６、３０６）を含み、
前記携帯通信デバイス（４０２）における前記通信制御デバイス（１０２、３０２）は、
前記他の通信制御デバイス（３１２）における専用の接触面（３１０、４０６）と物理的に接するために備えられた専用の接触面（１０８、３０８、４０４）と、
前記通信制御デバイス（１０２、３０２）における前記専用の接触面（１０８、３０８、）と前記他の通信制御デバイス（３１２）における前記専用の接触面（３１０）との間で前記接触インタフェースを介して物理的な接触を検知するために備えられた、前記専用の接触面（１０８、３０８）に接続された制御ユニット（１０６、３０６）とを含み、
前記通信制御デバイス（１０２、３０２）の無線通信ユニット（１０４、３０４）と前記他の通信制御デバイス（３１２）に関係した無線通信ユニット（３１４）との間で無線インタフェースを介して無線通信を可能とするため無線通信ユニット（１０４、３０４）に結合されることを特徴とする携帯通信デバイス。
【請求項１２】
前記携帯通信デバイス（４０２）における前記無線通信ユニット（１０４、３０４）と前記他の携帯通信デバイス（４０８）に関係する無線通信ユニット（３１４）との間で前記無線インタフェースを介して無線通信を可能にするための前記無線通信ユニット（１０４、３０４）を含み、
前記携帯通信デバイス（４０２）における前記専用の接触面（１０８、３０８、４０４）と前記無線通信ユニット（１０４、３０４）が前記制御ユニット（１０６、３０６）に接続されていることを特徴とする請求項１１に記載の携帯通信デバイス。
【請求項１３】
前記無線通信ユニット（１０４、３０４）は、Ｂｌｕｅｔｏｏｔｈ（登録商標）ユニットであることを特徴とする請求項１１または１２に記載の携帯通信デバイス。
【請求項１４】
前記携帯通信デバイス（４０２）は、携帯電話であることを特徴とする請求項１１乃至１３の何れかに記載の携帯通信デバイス。
【請求項１５】
携帯通信デバイス（４０２）における前記専用の接触面（１０８、３０８、４０４）の少なくとも一部は、前記携帯通信デバイス（４０２）外面から突き出しており、前記携帯通信デバイス（４０２）の前記専用の接触面（１０８、３０８、４０４）と前記他の通信デバイス（４０８）における専用の接触面（３１０、４０６）との間で物理的な接続を可能にしていることを特徴とする請求項１１乃至１４の何れかに記載の携帯通信デバイス。
【請求項１６】
携帯通信デバイス（４０２）における前記専用の接触面（１０８、３０８、４０４）の少なくとも一部は、前記携帯通信デバイス（４０２）の外面から突き出し可能であり、前記携帯通信デバイス（４０２）の前記専用の接触面（１０８、３０８、４０４）と前記他の通信デバイス（４０８）における専用の接触面（３１０、４０６）との間で前記接触インタフェースを介して物理的な接続を可能にしていることを特徴とする請求項１１乃至１４の何れかに記載の携帯通信デバイス。
【請求項１７】
携帯通信デバイス（４０２）における前記専用の接触面（１０８、３０８、４０４）の少なくとも一部は、凸状の外面をもち、前記携帯通信デバイス（４０２）における前記専用の接触面（１０８、３０８、４０４）と前記他の通信デバイス（４０８）における専用の接触面（３１０、４０６）との間で前記接触インタフェースを介して物理的な接続を可能にしていることを特徴とする請求項１１乃至１４の何れかに記載の携帯通信デバイス。
【請求項１８】
少なくとも第１の携帯通信デバイス（４０２）および第２の携帯通信デバイス（４０８）を有する通信システムであって、
前記第１および前記第２の携帯通信デバイス（４０２、４０８）の両方は請求項１１乃至１７のいずれかに記載のデバイスであり、前記携帯通信デバイス（４０２、４０８）の間でセキュア通信セッションを開始することを特徴とする通信システム。
【手続補正書】
【提出日】平成18年10月4日(2006.10.4)
【手続補正１】
【補正対象書類名】特許請求の範囲
【補正対象項目名】全文
【補正方法】変更
【補正の内容】
【特許請求の範囲】
【請求項１】
第１の通信デバイス（１０２、３０２、４０２）と第２の通信デバイス（３１２、４０８）との間で少なくとも部分的にセキュア無線通信セッションを開始する方法であって、
互いの通信デバイスは、前記通信デバイス（１０２、３０２、３１２、４０２、４０８）との間で通信セッションを開始する開始ステップを有する専用の接触面（１０８、３０８、３１０、４０４、４０６）を含み、
前記開始ステップは、
前記第１の通信デバイス（１０２、３０２、４０２）と前記第２の通信デバイス（３１２、４０８）との間でセキュア無線通信を可能にするために、前記第１の通信デバイス（１０２、３０２、４０２）における前記専用の接触面（１０８、３０８、４０４）と前記第２の通信デバイス（３１２、４０８）における接触面（３１０、４０６）とが互いに物理的に接することを検知する検知ステップを含むことを特徴とする方法。
【請求項２】
前記開始ステップは、
前記第１の通信デバイス（１０２、３０２、４０２）における前記専用の接触面（１０８、３０８、４０４）と前記第２の通信デバイス（３１２、４０８）における接触面（３１０、４０６）との間で接触インタフェースを介して実行される
ことを特徴とする請求項１に記載の方法。
【請求項３】
前記第１の通信デバイス（１０２、３０２、４０２）における前記専用の接触面（１０８、３０８、４０４）と前記第２の通信デバイス（３１２、４０８）における接触面（３１０、４０６）との間で接触インタフェースを介して実行される前記開始ステップは、
前記２つの通信デバイス（１０２、３０２、３１２、４０２、４０８）の間で、前記通信デバイスのいずれが開始部の役割（ステップ２０４）を担うかを決定するためにネゴシエーションを行なうステップを含む
ことを特徴とする請求項１または２に記載の方法。
【請求項４】
前記ネゴシエーションを行なうステップ（ステップ２０４）は、前記通信デバイス（１０２、３０２、３１２、４０２、４０８）のいずれが受信部の役割を担うことを決定するステップを含む
ことを特徴とする請求項３に記載の方法。
【請求項５】
前記第１の通信デバイス（１０２、３０２、４０２）における前記専用の接触面（１０８、３０８、４０４）と前記第２の通信デバイス（３１２、４０８）における接触面（３１０、４０６）との間で接触インタフェースを介して実行される前記開始ステップは、
一方が開始部であり、他方が受信部である前記２つの通信デバイス（１０２、３０２、３１２、４０２、４０８）の間で認証情報を交換する（ステップ２０６）ステップを含む
ことを特徴とする請求項４に記載の方法。
【請求項６】
前記２つの通信デバイス（１０２、３０２、３１２、４０２、４０８）の間で無線インタフェースを介して通信セッションを継続するステップを含む
ことを特徴とする請求項１乃至５の何れかに記載の方法。
【請求項７】
他の通信制御デバイス（３１２）との間でセキュア無線通信セッションを開始する通信制御デバイス（１０２、３０２）であって、
前記通信制御デバイスは、
前記他の通信制御デバイス（３１２）における専用の接触面（３１０）との物理的な接触のために備えられた専用の接触面（１０８、３０８）と、
前記通信制御デバイス（１０２、３０２）における前記専用の接触面（１０８、３０２）と前記他の通信制御デバイス（３１２）における専用の接触面（３１０）とが互いに物理的に接触していることを検知することによって通信を開始する、前記専用の接触面（１０８、３０８）に接続された制御ユニット（１０６、３０６）とを含み、
前記通信制御デバイス（１０２、３０２）に関係した無線通信ユニット（１０４，３０４）と前記他の通信制御デバイス（３１２）に関係した無線通信ユニット（３１４）との間で無線インタフェースを介してセキュア無線通信を可能とするよう無線通信ユニットに接続されることを特徴とする通信制御デバイス。
【請求項８】
前記通信制御デバイス（１０２、３０２）の無線通信ユニット（１０４、３０４）と前記他の通信制御デバイス（３１２）に関係する無線通信ユニット（３１４）との間で前記無線インタフェースを介してセキュア無線通信を可能とする前記無線通信ユニット（１０４、３０４）を含み、
前記専用の接触面（１０８、３０８）と前記無線通信ユニット（１０４、３０４）が前記制御ユニット（１０６、３０６）に接続されていることを特徴とする請求項７に記載の通信制御デバイス。
【請求項９】
前記制御ユニット（１０６、３０６）は、
前記通信制御デバイス（１０２、３０２）における前記専用の接触面（１０８、３０８）と前記他の通信制御デバイス（３１２）における前記専用の接触面（３１０）との間で前記接触インタフェースを介して通信を開始する
ことを特徴とする請求項７または８に記載の通信制御デバイス。
【請求項１０】
前記通信制御デバイス（１０２、３０２）における前記専用の接触面（１０８、３０８）の少なくとも一部は、電流を導通できることを特徴とする請求項７乃至９の何れかに記載の通信制御デバイス。
【請求項１１】
少なくとも１つの他の携帯通信デバイス（４０８）と通信をおこなう携帯通信デバイス（４０２）であって、
前記携帯通信デバイス（４０２）は、
通信制御デバイス（１０２、３０２）と前記他の携帯通信デバイス（４０８）における通信制御デバイス（３１２）との間でセキュア無線通信セッションを開始する通信制御ユニット（１０６、３０６）を含み、
前記携帯通信デバイス（４０２）における前記通信制御デバイス（１０２、３０２）は、
前記他の通信制御デバイス（３１２）における専用の接触面（３１０、４０６）と物理的に接するために備えられた専用の接触面（１０８、３０８、４０４）と、
前記通信制御デバイス（１０２、３０２）における前記専用の接触面（１０８、３０８）と前記他の通信制御デバイス（３１２）における前記専用の接触面（３１０）とが、接触インタフェースを介して互いに物理的に接触していることを検知するために備えられた、前記専用の接触面（１０８、３０８）に接続された制御ユニット（１０６、３０６）とを含み、
前記通信制御デバイス（１０２、３０２）の無線通信ユニット（１０４，３０４）と前記他の通信制御デバイス（３１２）に関係した無線通信ユニット（３１４）との間で無線インタフェースを介してセキュア無線通信を可能とするため無線通信ユニット（１０４、３０４）に結合されることを特徴とする携帯通信デバイス。
【請求項１２】
前記携帯通信デバイス（４０２）における前記無線通信ユニット（１０４、３０４）と前記他の携帯通信デバイス（４０８）に関係する無線通信ユニット（３１４）との間で前記無線インタフェースを介してセキュア無線通信を可能にするための前記無線通信ユニット（１０４、３０４）を含み、
前記携帯通信デバイス（４０２）における前記専用の接触面（１０８、３０８、４０４）と前記無線通信ユニット（１０４、３０４）が前記制御ユニット（１０６、３０６）に接続されていることを特徴とする請求項１１に記載の携帯通信デバイス。
【請求項１３】
前記無線通信ユニット（１０４、３０４）は、Ｂｌｕｅｔｏｏｔｈ（登録商標）ユニットであることを特徴とする請求項１１または１２に記載の携帯通信デバイス。
【請求項１４】
前記携帯通信デバイス（４０２）は、携帯電話であることを特徴とする請求項１１乃至１３の何れかに記載の携帯通信デバイス。
【請求項１５】
携帯通信デバイス（４０２）における前記専用の接触面（１０８、３０８、４０４）の少なくとも一部は、前記携帯通信デバイス（４０２）の外面から突き出しており、前記携帯通信デバイス（４０２）の前記専用の接触面（１０８、３０８、４０４）と前記他の通信デバイス（４０８）における専用の接面（３１０、４０６）とが互いに物理的に接触することを可能にしていることを特徴とする請求項１１乃至１４の何れかに記載の携帯通信デバイス。
【請求項１６】
携帯通信デバイス（４０２）における前記専用の接面（１０８、３０８、４０４）の少なくとも一部は、前記携帯通信デバイス（４０２）の外面から突き出し可能であり、前記携帯通信デバイス（４０２）の前記専用の接触面（１０８、３０８、４０４）と前記他の通信デバイス（４０８）における専用の接触面（３１０、４０６）とは、前記接触インタフェースを介して互いに物理的に接触することを可能にしていることを特徴とする請求項１１乃至１４の何れかに記載の携帯通信デバイス。
【請求項１７】
携帯通信デバイス（４０２）における前記専用の接触面（１０８、３０８、４０４）の少なくとも一部は、凸状の外面をもち、前記携帯通信デバイス（４０２）における前記専用の接触面（１０８、３０８、４０４）と前記他の通信デバイス（４０８）における専用の接触面（３１０、４０６）とは前記接触インタフェースを介して互いに物理的に接触することを可能にしていることを特徴とする請求項１１乃至１４の何れかに記載の携帯通信デバイス。
【請求項１８】
少なくとも第１の携帯通信デバイス（４０２）および第２の携帯通信デバイス（４０８）を有する通信システムであって、
前記第１および第２の携帯通信デバイス（４０２、４０８）の両方は請求項１１乃至１７のいずれかに記載のデバイスであり、前記携帯通信デバイス（４０２、４０８）の間でセキュア無線通信セッションを開始することを特徴とする通信システム。
【国際調査報告】
2007513532.tif 000008
2007513532.tif 000009
2007513532.tif 000010